(57)【要約】【課題】位置ずれの補正のために要していた作業を軽減する。【解決手段】原画像データに対して、相反する補正処理Ａ及び補正処理Ｂの双方を実施してノミナル画像データを生成し、記憶しておく。原画像に対して補正処理Ａのみを実施したい場合には、ノミナル画像データにおいて補正処理Ａをそのままにしておき、補正処理Ｂを補正前の状態に戻す。原画像に対して補正処理Ｂのみを実施したい場合には、ノミナル画像データにおいて補正処理Ａを補正前の状態に戻し、補正処理Ｂをそのままとする。補正処理Ａと補正処理Ｂの双方を実施した状態でディフェクトが発生していなければ、補正処理Ａと補正処理Ｂのいずれかを元に戻したとしても、それは原画像の内容に近づくだけであり、ディフェクトが発生する可能性は低い。よって、補正処理Ａと補正処理Ｂの双方を実施した状態のノミナル画像にディフェクトが発生していないことだけを事前に確認しておけば良い。【選択図】図１
2008042263.tif 000002
【特許請求の範囲】
【請求項１】
画素の位置ずれを補正するための処理内容が相反する２種類の補正処理を原画像データに施して、当該原画像データに対して前記２種類の補正処理の内容が反映された第１の画像データを生成する生成手段と、
前記生成手段によって生成された第１の画像データにおいて、前記２種類の補正処理のうち一方の補正処理によって補正された画素を当該補正処理の前の状態に戻すことで、前記原画像データに含まれる画素の位置ずれを前記第１の画像データに対して補正した第２の画像データを生成し、出力する補正手段と
を備えることを特徴とする画像処理装置。
【請求項２】
前記相反する内容の２種類の補正処理は、画素の挿入と画素の間引きであり、
前記記憶手段に記憶された補正処理の内容は、画像の主走査方向又は副走査方向への拡大又は縮小であることを特徴とする請求項１記載の画像処理装置。
【請求項３】
前記相反する内容の２種類の補正処理は、画素の副走査方向への移動とその逆方向への移動、又は、画素の主走査方向への移動とその逆方向への移動であり、
前記相反する内容の２種類の補正処理が画素の副走査方向への移動とその逆方向への移動の場合には、前記記憶手段に記憶された補正処理の内容は、主走査方向に連なる画素ラインのスキュー補正であり、
前記相反する内容の２種類の補正処理が画素の主走査方向への移動とその逆方向への移動の場合には、前記記憶手段に記憶された補正処理の内容は、副走査方向に連なる画素ラインのスキュー補正であることを特徴とする請求項１記載の画像処理装置。
【請求項４】
画素の副走査方向への移動とその逆方向への移動、又は、画素の主走査方向への移動とその逆方向への移動が、いずれも所定個数の画素からなるブロック単位での移動であり、
スクリーン処理に用いられるスクリーンにおいて互いに隣り合う網点と網点の間に、各々の前記ブロックの境界が位置することを特徴とする請求項３記載の画像処理装置。
【請求項５】
コンピュータに、
画素の位置ずれを補正するための処理内容が相反する２種類の補正処理を原画像データに施して、当該原画像データに対して前記２種類の補正処理の内容が反映された第１の画像データを生成する機能と、
生成された前記第１の画像データにおいて、前記２種類の補正処理のうち一方の補正処理によって補正された画素を当該補正処理の前の状態に戻すことで、前記原画像データに含まれる画素の位置ずれを前記第１の画像データに対して補正した第２の画像データを生成し、出力する機能と
を実現させるプログラム。
【発明の詳細な説明】
【技術分野】
【０００１】
本発明は画像に含まれる画素の位置ずれを補正する技術に関する。
【背景技術】
【０００２】
電子写真方式のカラー画像形成装置は、一般にY（イエロー）、M（マゼンダ）、C（シアン）、K（ブラック）の各色の像を形成し、これらを記録シートに多重転写する。ところが、これらの像に含まれる画素の位置がずれる場合がある。これは、いわゆるレジずれ（レジストレーションのずれ）とも呼ばれている。このような画素の位置ずれが発生した場合には、記録シートに形成されたカラー画像の画質が著しく低下するため、この位置ずれを解消することは従来から重要な課題とされている。そこで、例えば画像形成装置の光学系において光路を適宜変化させることによって位置ずれを補正する方法や（特許文献１、２参照）、潜像形成時のクロック信号を変調することによって位置ずれを補正する方法（特許文献３，４参照）などが提案されている。しかし、これらの方法では、画像形成装置の製造コストが高くなってしまうとか、補正能力に限界があるとか、或いは、補正の精度が芳しくないなどの問題があることが知られている。
【０００３】
ところで、最近では電子デバイスの高機能化や低価格化、そして高解像度の露光技術の開発などが急速に進んでいる。このような背景の下、画像データそのものに画像処理を施すことで位置ずれを補正する方法が提案されている。例えば、画像が配置される座標系を、位置ずれの補正量を加味した座標系に変換するといった方法である（特許文献５参照）。
【０００４】
画像形成装置は、一般にスクリーン処理によって階調を擬似的に表現している。この処理に用いられるスクリーンの大半は周期的な構造となっているが、このような構造の特性に起因して、Y、M、C、Kの各色の像を重ねたときに各々の像に対するスクリーンどうしが干渉を起こし、画像にディフェクト（画像の不具合・乱れ）が発生することが知られている。そこで、画像処理に関する各種のパラメータを、このようなディフェクトを発生させないような最適値に設定する必要がある。
【０００５】
しかしながら、前述したように画像処理によって位置ずれを補正した場合、さらにその補正後にスクリーン処理を行ってしまうと、位置ずれを補正することはできるものの、スクリーンの周期的な構造そのものが上記補正の影響を受けてしまう。この結果、予め最適な値に設定していたパラメータの値が意味をなさなくなってしまい、ディフェクトが発生することがある。一方、最初にスクリーン処理を施し、その次に画像処理によって位置ずれを補正する場合であっても、スクリーンの構造の周期性が局部的に崩れてしまい、これによってディフェクトが発生してしまう虞がある。
【０００６】
そこで、このような問題を解決するべく、画像の座標系を変換して求めた各画素の座標アドレスに対してランダムノイズや周期関数を加味することで、スクリーン処理と画像処理との間の干渉を防ぐ方法が提案されている（特許文献６，７参照）。しかし、それでもディフェクトの発生を助長したり、既に発生しているディフェクトとは別のディフェクトを発生させる場合がある。また、画像形成装置のハードウェアに特有の周波数成分と上記の画像処理との間に干渉が発生し、これがディフェクトを引き起こすこともある。
【特許文献１】特開平６−３５２８７号公報
【特許文献２】特開平６−１１８３２５号公報
【特許文献３】特開平１０−６２７００号公報
【特許文献４】特開平１１−１９８４３５号公報
【特許文献５】特開平８−８５２３６号公報
【特許文献６】特開平１１−１７９３８号公報
【特許文献７】特開２０００−１１２２０６号公報
【発明の開示】
【発明が解決しようとする課題】
【０００７】
以上のように、どのような方法を採ったとしても、ディフェクトの発生を完全に防止することは難しい。よって、現実には、画像形成装置において各種パラメータの値を調整しながら試験的に画像を形成し、その画質を検証するという作業を繰り返すことで、最適なパラメータ値を求めているのが実情である。しかしながら、このような作業は、様々な画像形成条件や膨大な数のパラメータの組み合わせを想定したうえで行わねばならず、多大な時間と労力を要するという問題がある。
【０００８】
以下、上記作業の一例として、画像に画素を挿入することで画像の倍率を補正する場合について考える。
図９（ａ）は、倍率を補正する前の画像を示しており、図９（ｂ）は、倍率を補正した後の画像を示している。ここでは、倍率補正前の画像の主走査方向（図面に向かって左右方向）の幅が、記録シートに形成されるべき理想的な画像の主走査方向の幅よりも、２画素分だけ小さい場合を想定している。記録シートに実際に形成される画像の幅が理想的な幅よりどの程度小さいか或いは大きいかということは、周知の位置ずれ量検出技術によって確かめておくことができる。そして、図９（ａ）のように２画素分だけ小さい場合には、図９（ｂ）に示すように、補正前の画像における各主走査ラインに対してそれぞれ２画素（図中網掛けが施された画素）を挿入してやれば、主走査方向に２画素分だけ画像を拡大することができ、画像を理想的な大きさに補正することが可能となる。なお、図９（ｂ）において、挿入画素に振られた番号が左隣の画素と同じなのは、この左隣と同一の濃度値の画素が挿入されていることを意味している。
【０００９】
ただし、この場合、各主走査ラインにおいて画素を挿入する位置はどこでも良いわけではなく、補正前の画像の内容そのものをできる限り変化させないような位置である必要がある。例えば、各々の主走査ラインにおいて均等な距離だけ離して画素を挿入することが望ましい。よって、挿入画素どうしの間の距離（補正パラメータ）が、挿入する画素数によって変わってしまう。例えば、図９（ｂ）に示すように２画素を挿入した場合には、挿入画素間の距離は７画素分であるが、図９（ｃ）に示すように３画素を挿入した場合には、挿入画素間の距離は６画素分である。従って、予め想定される挿入画素の数に応じて、画質のディフェクトを発生させないような挿入画素間の距離を、事前の検証により、位置ずれの補正パラメータとして求めておかなければならない。さらに実際には、このような主走査方向の倍率補正に加えて、他の補正(例えば副走査方向の倍率補正またはスキュー補正など)や、画質に関わる諸条件との関係をも考慮しなければならないため、事前の画質検証によって全ての補正パラメータを求める作業には多大な時間と労力を要する。
【００１０】
上述した課題を解決するため、本発明は、より簡易な方法で画像の位置ずれを補正することで、従来から位置ずれの補正のために要していた作業を軽減することを目的とする。
【課題を解決するための手段】
【００１１】
上記課題を解決するため、本発明は、画素の位置ずれを補正するための処理内容が相反する２種類の補正処理を原画像データに施して、当該原画像データに対して前記２種類の補正処理の内容が反映された第１の画像データを生成する生成手段と、前記生成手段によって生成された第１の画像データにおいて、前記２種類の補正処理のうち一方の補正処理によって補正された画素を当該補正処理の前の状態に戻すことで、前記原画像データに含まれる画素の位置ずれを前記第１の画像データに対して補正した第２の画像データを生成し、出力する補正手段とを備えることを特徴とする画像処理装置を提供する。
【００１２】
前記相反する内容の２種類の補正処理は、画素の挿入と画素の間引きであり、前記記憶手段に記憶された補正処理の内容は、画像の主走査方向又は副走査方向への拡大又は縮小であってもよい。
【００１３】
また、前記相反する内容の２種類の補正処理は、画素の副走査方向への移動とその逆方向への移動、又は、画素の主走査方向への移動とその逆方向への移動であり、前記相反する内容の２種類の補正処理が画素の副走査方向への移動とその逆方向への移動の場合には、前記記憶手段に記憶された補正処理の内容は、主走査方向に連なる画素ラインのスキュー補正であり、前記相反する内容の２種類の補正処理が画素の主走査方向への移動とその逆方向への移動の場合には、前記記憶手段に記憶された補正処理の内容は、副走査方向に連なる画素ラインのスキュー補正であってもよい。この場合に、例えば、画素の副走査方向への移動とその逆方向への移動、又は、画素の主走査方向への移動とその逆方向への移動が、いずれも所定個数の画素からなるブロック単位での移動であり、スクリーン処理に用いられるスクリーンにおいて互いに隣り合う網点と網点の間に、各々の前記ブロックの境界が位置する。
【発明を実施するための最良の形態】
【００１４】
次に、本発明を実施するための最良の形態について説明する。
まず、実施形態の概要を説明する。
本実施形態においては、画像データに対して、或る内容の補正処理Ａ（例えば画素の挿入）を行う共に、その補正処理Ａと相反する内容の補正処理Ｂ（例えば画素の間引き）を行った状態で、その画像データを保持しておく。以下の説明では、これらの２種類の補正処理を行う前の画像データを「原画像データ」と呼び、この原画像データに対してこれら２種類の補正処理の双方が反映された状態の画像データを「ノミナル画像データ」（第１の画像データ）と呼ぶ。
【００１５】
そして、原画像の位置ずれを補正するためには補正処理Ａのみを実施すれば足りる場合は、ノミナル画像データにおいて補正処理Ａをそのままにしておき、補正処理Ｂを補正前の状態に戻す。これにより、原画像に対して補正処理Ａのみが反映された状態の画像（つまり位置ずれがない状態の画像：第２の画像データ）を得ることができる。一方、原画像の位置ずれを補正するためには補正処理Ｂのみを実施すれば足りる場合は、ノミナル画像データにおいて補正処理Ａを補正前の状態に戻し、補正処理Ｂをそのままとする。これにより、原画像に対して補正処理Ｂのみが実施された状態の画像（つまり位置ずれがない状態の画像：第２の画像データ）を得ることができる。
【００１６】
補正処理Ａと補正処理Ｂの双方を実施した状態のノミナル画像にディフェクトが発生していなければ、その補正処理Ａと補正処理Ｂのいずれかを元に戻したとしても、原画像の内容に近づくだけであるから、ディフェクトが発生する可能性は極めて低い。よって、画像処理装置の設計者は、補正処理Ａと補正処理Ｂの双方を実施した状態のノミナル画像の画質を検証し、そのノミナル画像にディフェクトが発生していないことだけを確認しておけば良く、従来のような多大な検証時間や労力が不要となる。
【００１７】
次に、実施形態の詳細について説明する。
図１は、本実施形態に係る画像処理装置１００の構成を示す図である。この画像処理装置１００は、Y（イエロー）、M（マゼンダ）、C（シアン）、K（ブラック）の各色の像を形成し、これらを記録シートに多重転写することでカラー画像を形成する、カラープリンタや複写機等の画像形成装置に内蔵されている。画像処理装置１００は、入力部１１と、制御部１２と、記憶部１３と、画像読取部１４と、位置ずれ量検出部１５とを備えている。入力部１１は、通信インタフェースであり、パーソナルコンピュータやファクシミリ装置からネットワーク経由で画像データ（原画像データ）を受信する。また、原画像データは画像読取部１４によって生成されることもある。この画像読取部１４は例えば光学センサを備えており、記録シートに形成されている画像に光を照射し、その反射光の強度に基づいて画像を表す原画像データを生成する。これらの原画像データは入力部１１から制御部１２に供給され、制御部１２によって記憶部１３に書き込まれる。
【００１８】
制御部１２は、例えばＣＰＵとメモリを備えており、ＣＰＵがメモリに記憶されたプログラムを実行することで、原画像データに対して相反する２種類の補正処理を施してノミナル画像データを生成する処理や、このノミナル画像データに対して実施済みの補正を元に戻すなどの変更処理などを行う。記憶部１３は、上述の原画像データや、制御部１２によって生成或いは変更されたノミナル画像データを記憶する。位置ずれ量検出部１５は、画像読取部１４によって生成される画像データを解析して、記録シート上における画素の位置ずれ量を算出する。このような位置ずれ量の検出技術は、例えば特開平８−８５２３６号公報などに開示されている周知技術であるため、詳細な説明は省略する。
【００１９】
次に、画像処理装置１００の動作について、画像の倍率を補正する場合を例に挙げて説明する。
入力部１１によって生成された原画像データはいったん記憶部１３によって記憶される。制御部１２は、画像データの拡大処理に関して相反する２種類の補正処理を原画像データに施す。即ち、一方の補正処理が画素の挿入（画素の拡大）であり、他方の補正処理が画素の間引き（画像の縮小）である。
【００２０】
ここで、図２は原画像データに対する補正処理の様子を示す図である。図２に示した原画像データＯＤにおいて、画素群ｄ１が挿入される画素（以下、挿入画素という）の集合であり、画素群ｄ２が間引きされる画素（以下、間引画素という）の集合である。このときの挿入画素の数は予め想定し得る最大の数であり、位置ずれ補正の上限値である。図２の例で言えば、主走査方向に４画素分の拡大処理までは可能であるが、それ以上の画像拡大は無理である。元々位置ずれ量の最大値はそれほど大きくはないから、上限値を予め決めておくことは比較的容易である。同様に、間引画素の数も予め想定し得る最大の数である。図２の例で言えば、主走査方向に４画素分の縮小処理までは可能であるが、それ以上の画像縮小は無理である。なお、同図においては主走査方向の画素数を２４としているが、実際にはもっと多い。
【００２１】
このように制御部１２は、画素の挿入と間引きを実施することにより、ノミナル画像データＮＤを生成する。図示のノミナル画像データＮＤにおいて、振られた番号が同じ画素は、同一の濃度値の画素であることを意味している。つまり、「３」、「９」、「１５」、「２１」という番号が振られた画素群ｄ１と同じ濃度値の画素が挿入される一方、「６」、「１２」、「１８」、「２４」という番号が振られた画素群ｄ２が間引きされる。制御部１２は、このようにして生成したノミナル画像データを記憶部１３に書き込む。なお、挿入及び間引きを行う画素の位置として、画像がイメージがテキストかなどといった条件に応じて画質に影響を与えないような位置を画像処理装置の製造者または保守者が予め指定しておく。
【００２２】
次に、制御部１２の処理は位置ずれの補正処理を行う。
ここでは、位置ずれ量検出部１５によって検出された位置ずれ量が制御部１２に供給されて、制御部１２によって、理想的な画像の幅よりも主走査方向に２画素分だけ画像を拡大するような位置ずれ補正を行うと判断された場合を想定する。この場合には、制御部１２は、ノミナル画像データを記憶部１３から読み出し、このノミナル画像データの各々の主走査ラインにおいて実施されていた間引きの補正処理を、位置ずれ補正に必要な画素分だけ元に戻す。つまり、図３に示すように、制御部１２は、図２において間引されていた画素のうちの主走査方向に２画素分、つまり図中の番号「６」と「１８」が付されている画素群ｐ１０，ｐ２０をノミナル画像に挿入する（戻す）。これにより、ノミナル画像データＮＤを主走査方向に２画素分だけ拡大することができ、記録シートに形成される画像の幅を理想的な大きさに補正することが可能となる。そして、制御部１２は拡大処理後のノミナル画像データＮＤ’を図示せぬ画像形成部に供給して、記録シートに画像を形成させる。
【００２３】
次に、画像のスキュー（傾き）を補正する場合を例に挙げて説明する。
制御部１２は、画像のスキュー補正に関して相反する２種類の補正を原画像データに施す。即ち、一方の補正は、画素の位置を図中下方（副走査方向）に移動させる補正であり、他方の補正は、画素の位置を図中上方（副走査方向とは逆の方向）に移動させる補正である。この２種類の補正は主走査方向に沿って所定個数の画素群単位でなされる。以下では、前者の処理をシフトダウン処理と呼び、後者の処理をシフトアップ処理と呼ぶ。
【００２４】
例えば図４は、原画像データＯＤに対して、主走査方向に沿って４画素群単位で上記の２種類の補正が交代して繰り返される例を示している。制御部１２は、このような補正処理を実施することにより、ノミナル画像データＮＤを生成する。ノミナル画像データＮＤにおいては、画素群ｄ３−１〜ｄ３−５が画素群ｄ４−１〜ｄ４−５よりも副走査方向に１画素分だけ移動させられている。逆に言えば、画素群ｄ４−１〜ｄ４−５が画素群ｄ３−１〜ｄ３−５よりも副走査方向とは逆の方向に１画素分だけ移動させられている。ノミナル画像データＮＤにおいて、振られた番号が同じ画素は、同一の濃度値の画素であることを意味している。制御部１２は、このようにして生成したノミナル画像データを記憶部１３に書き込む。なお、同図においては主走査方向の画素数を４０としているが、図２と同様に実際の画素数はもっと多い。
【００２５】
次に、制御部１２は位置ずれの補正処理を行う。
ここでは、図５に示すように、原画像データが表す画像において、4画素分だけ右下がりのスキュー（つまり主走査方向に進むに従って理想的な画像の端から副走査方向に離れていくようなスキュー）があった場合を仮定する。この場合、制御部１２は、4画素分だけ右上がりとなるようなスキュー補正を実施すれば、元々の４画素分の右下がりのスキューが補正されることになる。よって、制御部１２は、ノミナル画像データＮＤを記憶部１３から読み出し、このノミナル画像データＮＤの５個の画素群ｄ４−１〜ｄ４−５に対して実施されていたシフトダウン補正を元に戻す。つまり、制御部１２は、図６に示すようにして、５個の画素群ｄ４−１〜ｄ４−５を副走査方向とは逆の方向に移動させて、ノミナル画像データＮＤ”を生成する。なお、このようにシフトダウン処理を元に戻す場合、画素群ｄ４−１〜ｄ４−５から見て左隣の画素群との位置関係は変えるが、右隣の画素群画素群との位置関係は変えない。このようにしなければ、画像が全体として右上がりにならないからである。そして、制御部１２は上記処理後のノミナル画像データＮＤ”を図示せぬ画像形成部に供給して、記録シートに画像を形成させる。これにより、図７に示すとおり、スキューずれの無い画像が得られる。
【００２６】
以上の実施形態によれば、原画像データに対して、相反する補正処理Ａ及び補正処理Ｂの双方を実施してノミナル画像データを生成し、これを記憶しておく。そして、原画像に対して補正処理Ａのみを実施したい場合には、ノミナル画像データにおいて補正処理Ａをそのままにしておき、補正処理Ｂを補正前の状態に戻す一方、原画像に対して補正処理Ｂのみを実施したい場合には、ノミナル画像データにおいて補正処理Ａを補正前の状態に戻し、補正処理Ｂをそのままとする。これによって、原画像データに含まれる画素の位置ずれをノミナル画像データ（第１の画像データ）に対して補正した状態の画像データ（第２の画像データ）を生成することができる。補正処理Ａと補正処理Ｂの双方を実施した状態のノミナル画像にディフェクトが発生していなければ、その補正処理Ａと補正処理Ｂのいずれかを元に戻したとしても、それは原画像の内容に近づくだけであるから、ディフェクトが発生する可能性は極めて低い。よって、画像形成装置の設計者または保守管理者は、補正処理Ａと補正処理Ｂの双方を実施した状態のノミナル画像にディフェクトが発生していないことだけを事前に確認しておけば良く、従来のような多大な検証時間や労力が不要となる。
【００２７】
上述した実施形態を以下のように変形して本発明を実施してもよい。
スキュー補正の場合、主走査方向に沿って所定個数からなる画素群ブロックを１単位としてシフトダウン処理とシフトアップ処理を行っていたが、この所定個数の数は、次のようにして定めることが望ましい。スクリーン処理においては、その処理に用いられる各スクリーンによって無数の網点のパターン（配置や形状）が定められる。そして、この網点を大きくしたり小さくすることで階調表現がなされる。そこで、上記のようなシフトダウン処理などを行う単位となる画素群の主走査方向の個数（以下、主走査方向単位個数という）を、スクリーンの網点の最大サイズよりも大きくなるような個数に設定することが望ましい。例えば図８の上段に示すように、網点のサイズが２画素分に相当するような場合、主走査方向単位個数を、上記２画素＋１画素＋１画素の合計４画素とすればよい。つまり、スクリーンにおいて互いに隣り合う網点と網点の間に、各々の前記画素群ブロックの境界が位置するようにすればよい。このようにすれば、画素群の境界と網点が重なることがないから、シフトダウン処理やシフトアップ処理を行った場合であっても、１つの網点が上下に分離されるといった事態を防止することができる。つまり、図８下段に示すように、スクリーンの網点を崩すことが無くなり、画質の欠陥の原因とならない。
また、図５では、主走査方向に連なる画素ライン（主走査ライン）のスキュー補正の例を示したが、これ以外にも、副走査方向に連なる画素ライン（副走査ライン）のスキュー補正も実現可能であることは言うまでもない。
なお、図１に示した画像処理装置１００は、プリンタや複写機等に内蔵されるコンピュータによって実現されるものであってもよいし、プリンタや複写機等のホスト装置であるパーソナルコンピュータによって実現されるものであってもよい。また、制御部１２が実行するプログラムは、コンピュータによって読み取り可能な磁気記録媒体、光記録媒体あるいはＲＯＭなどの記録媒体に記録して画像処理装置１００に提供することができる。また、インターネットのようなネットワーク経由で画像処理装置１００にダウンロードさせることも可能である。
【図面の簡単な説明】
【００２８】
【図１】本発明の実施形態に係る画像処理装置の構成を示すブロック図である。
【図２】原画像データに補正処理を施してノミナル画像データを生成する様子を示す図である。
【図３】ノミナル画像データに施されていた補正を元に戻す様子を示す図である。
【図４】原画像データに補正処理を施してノミナル画像データを生成する様子を示す図である。
【図５】スキューの一例を示す図である。
【図６】ノミナル画像データに施されていた補正を元に戻す様子を示す図である。
【図７】スキューが補正された様子を示す図である。
【図８】原画像データに補正処理を施してノミナル画像データを生成する様子を示す図である。
【図９】従来において画像の倍率を補正する様子を示す図である。
【符号の説明】
【００２９】
１００・・・画像処理装置、１１・・・入力部、１２・・・制御部、１３・・・記憶部、１４・・・画像読取部、１５・・・位置ずれ量検出部。
【図１】
2008042263.tif 000003
【図２】
2008042263.tif 000004
【図３】
2008042263.tif 000005
【図４】
2008042263.tif 000006
【図５】
2008042263.tif 000007
【図６】
2008042263.tif 000008
【図７】
2008042263.tif 000009
【図８】
2008042263.tif 000010
【図９】
2008042263.tif 000011